(57)【要約】【課題】内容物を充填し蓋板を被せて密封した際、内容物の液汁が漏れだしにくいトレー容器とそのトレー容器用ブランクを提供する。【解決手段】底面板の一方の相対向する二辺にそれぞれ山折り線を介して側面板が連設され、側面板の二辺の方向の両端に山折り線を介して逆三角形状の折り込み接合板が連設され、折り込み接合板の外周には谷折り線を介して接合縁片が連設され、底面板の他方の相対向する二辺にそれぞれ山折り線を介して第２側面板が連設され、第２側面板の二辺の方向の両端に谷折り線を介して逆三角形状の第２折り込み接合板が連設され、折り込み接合板と第２折り込み接合板とは山折り線を介して連設されているトレー容器用ブランクであって、側面板と側面板の両端の折り込み接合板との間の山折り線が側面板の外方に凸の曲線状であり、第２側面板と、第２側面板の両端の第２折り込み接合板との間の谷折り線が第２側面板の内方に凸の曲線状である。【選択図】図１
2012126423.tif 000002
【特許請求の範囲】
【請求項１】
二組の相対向する二辺からなる底面板の一方の前記相対向する二辺に、それぞれ山折り線を介して側面板が連設され、該側面板の外周に、谷折り線を介して縁片が連設され、該縁片の前記側面板の外周方向の両端に、それぞれ該外周方向に延びる舌片が設けられ、前記側面板の外周方向の両端に、それぞれ山折り線を介して逆三角形状の折り込み接合板が連設され、該折り込み接合板の外周には、谷折り線を介して接合縁片が連設され、前記底面板の他方の相対向する二辺に、それぞれ山折り線を介して第２側面板が連設され、該第２側面板の外周に、谷折り線を介して第２縁片が連設され、該第２縁片の前記第２側面板の外周方向の両端に、それぞれ該外周方向に延びる第２舌片が設けられ、前記第２側面板の外周方向の両端に、それぞれ谷折り線を介して逆三角形状の第２折り込み接合板が連設され、前記折り込み接合板における側面板と連設していない方の端縁と、前記第２折り込み接合板における前記第２側面板と連設していない方の端縁とは、山折り線を介して連設されると共に、各側面板を折り曲げてトレー状に組立てた際、前記縁片、前記第２縁片、前記接合縁片がそれぞれ同一平面を形成するように設定されているトレー容器用ブランクであって、
前記側面板と、側面板の外周方向の両端の前記折り込み接合板との間の山折り線が前記側面板の外方に凸の曲線状であり、前記第２側面板と、該第２側面板の外周方向の両端の前記第２折り込み接合板との間の谷折り線が前記第２側面板の内方に凸の曲線状であることを特徴とするトレー容器用ブランク。
【請求項２】
前記底面板の前記一方の相対向する二辺がそれぞれ外方に、凸の曲線状であることを特徴とする請求項１に記載のトレー容器用ブランク。
【請求項３】
請求項１または２に記載のトレー容器用ブランクを、前記底面板と、前記側面板および前記第２側面板の間を山折りし、前記第２折り込み接合板の外側と前記第２側面板の外側とを接着させ、前記側面板と前記縁片の間、前記第２側面板と前記第２縁片の間、前記折り込み接合板と前記接合縁片の間をそれぞれ谷折りして、前記接合縁片の内側と前記第２縁片の外側を接着し、前記舌片の内側と前記第２舌片の外側を接着して、前記縁片、前記第２縁片、前記接合縁片が各々同一平面を形成するように組立てたことを特徴とするトレー容器。
【発明の詳細な説明】
【技術分野】
【０００１】
本発明は、トレー容器用ブランク及びトレー容器に関するものである。
【背景技術】
【０００２】
従来、例えば、図５に示すような形状をしたブランクを組み立てたトレー容器が冷凍食品等の包装用として使用されている。
【０００３】
このトレー容器に使用されるブランクは、方形の底面板１１の相対向する二辺には、それぞれ山折り線を介して側面板１２、１２が連設され、側面板１２、１２の外周には、谷折り線を介して縁片１３、１３が連設され、縁片１３、１３の側面板１２の外周方向の両端にはそれぞれその外周方向に延びる舌片１３１、１３１が設けられ、前記側面板１２、１２の外周方向の両端には、それぞれ山折り線を介して逆三角形状の折り込み接合板１２１、１２１が連設され、折り込み接合板１２１、１２１の外周には、谷折り線を介して（縁片１３と同一平面を形成する）接合縁片１２２が連設されている。
【０００４】
そして、底面板１１の他の相対向する二辺には、それぞれ山折り線を介して第２側面板１４、１４が連設され、第２側面板１４、１４の外周には、谷折り線を介して第２縁片１５、１５が連設され、第２縁片１５、１５の第２側面板１４の外周方向の両端には、それぞれその外周方向に延びる第２舌片１５１、１５１が設けられ、前記第２側面板１４、１４の外周方向の両端には、それぞれ谷折り線を介して逆三角形状の第２折り込み接合板１４１、１４１が連設されている。
【０００５】
さらに、前記折り込み接合板１２１の端縁と第２折り込み接合板１４１の端縁とは山折り線を介して連設されると共に、各側面板を折り曲げ、第２折り込み接合板１４１の外側と第２側面板１４の外側とを接着させ、縁片１３、第２縁片１５、接合縁片１２２をそれぞれ谷折りして、接合縁片１２２の内側と第２縁片１５の外側を接着し、舌片１３１の内側と第２舌片１５１の外側を接着してトレー状に組立てた際、縁片１３、１３、第２縁片１５、１５、接合縁片１２２、１２２が各々同一平面を形成するように作製されているトレー容器用ブランクである。
【０００６】
ところがこのトレー容器用ブランクにおいては、このブランクを容器に成形し、水物等の内容物を充填し、蓋板を被せて密封した際、隅角の側面板１２と折り込み接合板１２１と第２折り込み接合板１４１と第２側面板１４との交点で、縁片の舌片１３１と第２縁片の第２舌片１５１が重なる部分に針の先程度の微細な孔があいて、内容物が水物の場合、液汁が漏れだすという問題があった。冷凍食品であっても、消費者が店舗で購入して、自宅に持ち帰るときに、うっかりして解けてしまい、漏れだすこともあった。
【０００７】
そこで、特許文献１では、図６のように、上記トレー容器の改良として、各隅角の第２舌片１５１と第２折り込み接合板１４１が接する近傍の第２舌片の端縁に、第２折り込み接合板側に突出する小突起１５２を設けたトレー容器用ブランクを開示している。
【０００８】
公知文献を以下に示す。
【先行技術文献】
【特許文献】
【０００９】
【特許文献１】特開２０００−２５５５４６号公報
【発明の概要】
【発明が解決しようとする課題】
【００１０】
しかし、この特許文献１のトレー容器においても、隅角の側面板１２と折り込み接合板１２１と第２折り込み接合板１４１と第２側面板１４との交点で、縁片の舌片１３１と第２縁片の第２舌片１５１が重なる部分から汁が漏れることが完全には解決されてはいなかった。
【００１１】
本発明は上記した事情に鑑みてなされたもので、水物等の内容物を充填し蓋板を被せて密封した際、内容物が水物であっても、液汁が漏れだしにくいトレー容器とそのトレー容器用ブランクを提供することを課題としている。
【課題を解決するための手段】
【００１２】
本発明の請求項１に係る発明は、二組の相対向する二辺からなる底面板の一方の前記相対向する二辺に、それぞれ山折り線を介して側面板が連設され、該側面板の外周に、谷折り線を介して縁片が連設され、該縁片の前記側面板の外周方向の両端に、それぞれ該外周方向に延びる舌片が設けられ、前記側面板の外周方向の両端に、それぞれ山折り線を介して逆三角形状の折り込み接合板が連設され、該折り込み接合板の外周には、谷折り線を介して接合縁片が連設され、前記底面板の他方の相対向する二辺に、それぞれ山折り線を介して第２側面板が連設され、該第２側面板の外周に、谷折り線を介して第２縁片が連設され、該第２縁片の前記第２側面板の外周方向の両端に、それぞれ該外周方向に延びる第２舌片が設けられ、前記第２側面板の外周方向の両端に、それぞれ谷折り線を介して逆三角形状の第２折り込み接合板が連設され、前記折り込み接合板における側面板と連設していない方の端縁と、前記第２折り込み接合板における前記第２側面板と連設していない方の端縁とは、山折り線を介して連設されると共に、各側面板を折り曲げてトレー状に組立てた際、前記縁片、前記第２縁片、前記接合縁片がそれぞれ同一平面を形成するように設定されているトレー容器用ブランクであって、
前記側面板と、側面板の外周方向の両端の前記折り込み接合板との間の山折り線が前記側面板の外方に凸の曲線状であり、前記第２側面板と、該第２側面板の外周方向の両端の前記第２折り込み接合板との間の谷折り線が前記第２側面板の内方に凸の曲線状であることを特徴とするトレー容器用ブランクである。
【００１３】
本発明は以上の構成であって、側面板と、側面板の左右端の折り込み接合板との間の山折り線を側面板の外方に凸の曲線状とし、第２側面板と、第２側面板の左右端の第２折り込み接合板との間の谷折り線を第２側面板の内方に凸の曲線状としたので、トレー容器に成形した際に、山折り線を介して連設された折り込み接合板と第２折り込み接合板が、第２側面板に強く密着して、隅角の側面板と折り込み接合板と第２折り込み接合板と第２側面板との交点で、縁片の舌片と第２縁片の第２舌片が重なる部分から汁が漏れるのを防ぐことができる。
【００１４】
本発明の請求項２に係る発明は、前記底面板の前記一方の相対向する二辺がそれぞれ外方に、凸の曲線状であることを特徴とする請求項１に記載のトレー容器用ブランクである。
【００１５】
請求項１の構成にさらに、底面板の一方の相対向する二辺を、それぞれ外方に凸の曲線状にしたので、山折り線を介して連設された折り込み接合板と第２折り込み接合板が、第２側面板にさらに強く密着して、隅角の側面板と折り込み接合板と第２折り込み接合板と第２側面板との交点で、縁片の舌片と第２縁片の第２舌片が重なる部分から汁が漏れるのを防ぐことができる。
【００１６】
本発明の請求項３に係る発明は、請求項１または２に記載のトレー容器用ブランクを、
前記底面板と、前記側面板および前記第２側面板の間を山折りし、前記第２折り込み接合板の外側と前記第２側面板の外側とを接着させ、前記側面板と前記縁片の間、前記第２側面板と前記第２縁片の間、前記折り込み接合板と前記接合縁片の間をそれぞれ谷折りして、前記接合縁片の内側と前記第２縁片の外側を接着し、前記舌片の内側と前記第２舌片の外側を接着して、前記縁片、前記第２縁片、前記接合縁片が各々同一平面を形成するように組立てたことを特徴とするトレー容器である。
【００１７】
本発明の請求項３のトレー容器は、請求項１または２に記載のトレー容器用ブランクを用いて、上記のように組み立ててトレー容器としているので、隅角の側面板と折り込み接合板と第２折り込み接合板と第２側面板との交点で、縁片の舌片と第２縁片の第２舌片が重なる部分から汁が漏れるのを防ぐことができる。
【発明の効果】
【００１８】
本発明のトレー容器用ブランクで作成した本発明のトレー容器は、以上のような構造になっているので、水物等の内容物を充填し蓋板を被せて密封した際、内容物の液汁が漏れだしにくい。
【図面の簡単な説明】
【００１９】
【図１】本発明のトレー容器用ブランクの第１実施形態の説明図である。
【図２】本発明のトレー容器用ブランクの第１実施形態で成形した本発明のトレー容器を模式的に示す斜視図である。
【図３】本発明のトレー容器用ブランクの第２実施形態の説明図である。
【図４】本発明のトレー容器用ブランクの第２実施形態で成形した本発明のトレー容器を模式的に示す斜視図である。
【図５】従来のトレー容器用ブランクの一例の説明図である。
【図６】従来のトレー容器用ブランクの他の例の説明図である。
【発明を実施するための形態】
【００２０】
以下本発明を実施するための形態につき説明する。
【００２１】
本発明のトレー容器用ブランクに使用する材料は、一般的に紙箱用として使用される坪量２００〜５００ｇ／ｍ２のコートボール、コートマニラ、アイボリー等の板紙を用いることができる。
【００２２】
内容物が冷凍食品等の水分を多く含むものの場合には、板紙の少なくとも内面にポリエチレン樹脂などの熱可塑性樹脂を溶融押出し法などにより塗布したポリエチレン加工紙が好ましく使用できる。
【００２３】
また、トレー容器に組み立てた時、ポリエチレン樹脂などの熱可塑性樹脂が接合に有利であることを考慮すると、ブランクの両面にポリエチレン樹脂等の熱可塑性樹脂が塗布されている加工紙を使用することが望ましい。
【００２４】
熱可塑性樹脂としては、低密度ポリエチレン樹脂、中密度ポリエチレン樹脂、高密度ポリエチレン樹脂、直鎖状低密度ポリエチレン樹脂、エチレン−α−オレフィン共重合体などのポリエチレン系樹脂の他に、ホモポリプロピレン樹脂、プロピレン−エチレンランダム共重合体、プロピレン− エチレンブロック共重合体、プロピレン−α−オレフィン共重合体などのポリプロピレン系樹脂などの選択が可能であり、また、これらのオレフィン系樹脂をグラフト重合などにより酸変性した変性ポリオレフィン樹脂も使用可能である。
【００２５】
＜第１実施形態＞
図１は、本発明のトレー容器用ブランクの第１実施形態の説明図である。図２は、本発明のトレー容器用ブランクの第１実施形態で成形した本発明のトレー容器を模式的に示す斜視図である。
【００２６】
第１実施形態のトレー容器用ブランク１０は、二組の相対向する二辺からなる底面板１１の一方の相対向する二辺に、それぞれ山折り線を介して側面板１２、１２が連設されている。そして、側面板１２、１２の外周には谷折り線を介して縁片１３、１３が連設されている。さらに、縁片１３、１３の側面板１２の外周方向の両端には、それぞれその外周方向に延びる舌片１３１、１３１が設けられている。
【００２７】
側面板１２、１２の外周方向の両端には、それぞれ山折り線を介して逆三角形状の折り込み接合板１２１、１２１が連設され、折り込み接合板１２１、１２１の外周には、谷折り線を介して接合縁片１２２、１２２が連設されている。接合縁片１２２を設けないブランクとしても構わない。
【００２８】
底面板１１の他の相対向する二辺には、それぞれ山折り線を介して第２側面板１４、１４が連設され、第２側面板１４、１４の外周には谷折り線を介して第２縁片１５、１５が連設されている。第２縁片１５、１５の第２側面板１４の外周方向の両端には、それぞれ横方向に延びる第２舌片１５１、１５１が設けられている。
【００２９】
第２側面板１４、１４の外周方向の両端には、それぞれ谷折り線を介して逆三角形状の第２折り込み接合板１４１、１４１が連設され、折り込み接合板１２１の側面板１２と連設していない方の端縁と、第２折り込み接合板１４１の第２側面板１４と連設していない方の端縁とは、山折り線を介して連設されている。
【００３０】
そして、第２折り込み接合板１４１の上端の第２側面板１４の近傍には、上方に突出する突出部１４２が設けられている。突出部１４２は、成形したトレー容器に蓋板を加圧加熱してシールするときに第２縁片１５、１５を、下から支えてシールを良好に行うために設けている。
【００３１】
また、側面板１２、１２と、その外周方向の両端の折り込み接合板１２１、１２１との間の山折り線ａが、側面板１２，１２の外方に凸の曲線状となっていて、第２側面板１４、１４と、その外周方向の両端の第２折り込み接合板１４１、１４１との間の谷折り線ｂが、第２側面板１４，１４の内方に凸の曲線状となっている。
【００３２】
トレー容器用ブランク１０からトレー容器１０１への成形は、つぎのようにして行う。すなわち、各側面板１２、１２、１４、１４を底面板１１との間の山折りを折り曲げてトレー状に組立て、先ず、折り込み接合板１２１と第２折り込み接合板１４１の内面同士を接着させる。
【００３３】
ついで、接着させた２枚の接合板１２１、１４１を第２側面板１４側に折り曲げ、第２側面板１４と第２折り込み接合板１４１を密着させると共に、縁片１３、第２縁片１５、接合縁片１２２をそれぞれ谷折りして、接合縁片１２２の内側と第２縁片１５の外側を接着させ、舌片１３１の内側と第２舌片１５１の外側を接着させ、トレー容器１０１を成形する。
【００３４】
＜第２実施形態＞
図３は、本発明のトレー容器用ブランクの第２実施形態の説明図である。図４は、本発明のトレー容器用ブランクの第２実施形態で成形した本発明のトレー容器２０１を模式的に示す斜視図である。
【００３５】
第２実施形態のトレー容器用ブランク２０は二組の相対向する二辺からなる底面板１１の一方の前記相対向する二辺に、それぞれ山折り線を介して側面板１２、１２が連設されている。そして、第１実施形態と異なり、底面板の一方の前記相対向する二辺ｃ、ｃが、それぞれ外側に凸の曲線状になっていて、従って、底面板１１と側面板１２、１２の間の山折り線も外側に凸の曲線状に設けられている。
【００３６】
側面板１２、１２の外周には谷折り線を介して縁片１３、１３が連設されている。そして、縁片１３、１３の側面板１２の外周方向の両端には、それぞれその外周方向に延びる舌片１３１、１３１が設けられている。
【００３７】
側面板１２、１２の外周方向の両端には、それぞれ山折り線を介して逆三角形状の折り込み接合板１２１、１２１が連設され、折り込み接合板１２１、１２１の外周には、谷折り線を介して接合縁片１２２、１２２が連設されている。接合縁片１２２を設けないブランクとしても構わない。
【００３８】
底面板１１の他の相対向する二辺には、それぞれ山折り線を介して第２側面板１４、１４が連設され、第２側面板１４、１４の外周には谷折り線を介して第２縁片１５、１５が連設されている。第２縁片１５、１５の第２側面板１４の外周方向の両端には、それぞれその外周方向に延びる第２舌片１５１、１５１が設けられている。
【００３９】
第２側面板１４、１４の外周方向の両端には、それぞれ谷折り線を介して逆三角形状の第２折り込み接合板１４１、１４１が連設され、折り込み接合板１２１の側面板１２と連設していない方の端縁と、第２折り込み接合板１４１の第２側面板１４と連設していない方の端縁とは、山折り線を介して連設されている。
【００４０】
そして、第２折り込み接合板１４１の上端の第２側面板１４の近傍には、上方に突出する突出部１４２が設けられている。突出部１４２は、成形したトレー容器に蓋板を加圧加熱してシールするときに第２縁片１５、１５を、下から支えてシールを良好に行うために設けている。
【００４１】
また、側面板１２、１２と、その外周方向の両端に接続する折り込み接合板１２１、１２１との間の山折り線ａ、ａが、側面板１２，１２の外方に凸の曲線状となっていて、第２側面板１４、１４と、その外周方向の両端に接続する第２折り込み接合板１４１、１４１との間の谷折り線ｂが、第２側面板１４，１４の内方に凸の曲線状となっている。
【００４２】
トレー容器用ブランク２０からトレー容器２０１への成形は、つぎのようにして行う。すなわち、各側面板１２、１２、１４、１４を底面板１１との間の山折りを折り曲げてトレー状に組立て、先ず、折り込み接合板１２１と第２折り込み接合板１４１の内面同士を接着させる。
【００４３】
ついで、接着させた２枚の接合板１２１、１４１を第２側面板１４側に折り曲げ、第２側面板１４と第２折り込み接合板１４１を密着させると共に、縁片１３、第２縁片１５、接合縁片１２２をそれぞれ谷折りして、接合縁片１２２の内側と第２縁片１５の外側を接着させ、舌片１３１の内側と第２舌片１５１の外側を接着させ、トレー容器を成形する。
【符号の説明】
【００４４】
１０、２０・・・トレー容器用ブランク
１０１、２０１・・・トレー容器
１１・・・底面板
１２・・・側面板
１３・・・縁片
１４・・・第２側面板
１５・・・第２縁片
１２１・・・折り込み接合板
１２２・・・接合縁片
１３１・・・舌片
１４１・・・第２折り込み接合板
１４２・・・突出部
１５１・・・第２舌片
１５２・・・小突起
ａ・・・山折り線
ｂ・・・谷折り線
ｃ・・・辺
【図１】
2012126423.tif 000003
【図２】
2012126423.tif 000004
【図３】
2012126423.tif 000005
【図４】
2012126423.tif 000006
【図５】
2012126423.tif 000007
【図６】
2012126423.tif 000008